(57)【特許請求の範囲】
【請求項１】
塩化カルシウムを収容して４０℃相対湿度７５％に１２０時間保存した時の質量増加率が３〜２０質量％である容器に、
水不溶性無機物（ａ１）と、水溶性ポリマー及び水溶性塩類から選ばれる一種以上の水溶性成分（ａ２）とを含有するスラリーを噴霧乾燥して得られた水分（ＪＩＳ Ｋ ３３６２：１９９８記載の過熱減量法による）０．５質量％以下のベース顆粒に界面活性剤を担持させた洗剤ベース（ａ）６０〜９７質量％、無機塩及び／又はポリマーで被覆された水溶液中で過酸化水素を放出する化合物（ｂ）０．１〜８質量％、並びに、水溶液中で過酸化水素と反応し有機過酸を発生する化合物（ｃ）と界面活性剤とバインダーとを含有する造粒物、を含有する粉末洗剤組成物を収容した容器入り粉末洗剤。
【請求項２】
洗剤ベース（ａ）が、平衡相対湿度１５〜３５％（４０℃）である請求項１記載の容器入り粉末洗剤。
【発明の詳細な説明】
【０００１】
【発明の属する技術分野】
本発明は衣料用粉末洗剤組成物及び該組成物を容器に収容した容器入り衣料用粉末洗剤に関する。
【０００２】
【従来の技術】
近年の洗濯事情は、洗剤の高嵩密度化や低使用量化、洗濯機の高浴比（衣料／洗浄水）化、運転時間の短縮化、低動力撹拌化等が強化される傾向にあり、その結果、洗剤の溶解を遅延させることがある。
【０００３】
洗剤の溶解遅延により、設計された洗浄力が十分に発揮されない場合があり、なかでも血液汚れ、食べ物汚れ、植物の色素汚れなどのいわゆるシミ汚れに対する洗浄力が低下することがある。
【０００４】
そこで、このような洗濯事情に伴う染み汚れに対する洗浄力の低下を改善するために、漂白剤を配合することが試みられている。漂白剤の漂白成分は、塩素系と酸素系に大別されるが、色柄物に適用しても色落ちが無いこと、生地を傷めにくいこと、衣料を黄変させにくいことなどから、衣料用洗剤に配合するには、酸素系が適しているとされている。そして、漂白力をより向上させるために、酸素系漂白剤と共に漂白活性化剤が併用される。
【０００５】
しかし、酸素系漂白剤や漂白活性化剤は、洗剤中の水分や保存時の吸湿等により分解され、活性が低下するなどの問題がある。その上、ゼオライトや、微量な金属類、例えば鉄や銅などが存在する場合、これらが触媒として作用するために酸素系漂白剤の活性の低下は更に加速される。このため、酸素系漂白剤を表面コートして用いることが行われているが、活性の低下を充分防ぐには至っていない。酸素系漂白剤を洗剤中に安定に配合することができれば、洗濯と同時に漂白も行うことができ、好都合であることから、酸素系漂白剤の保存安定性を高める技術の開発が強く望まれている。
【０００６】
【発明が解決しようとする課題】
本発明の課題は、酸素系漂白剤を含有し、且つ保存安定性（溶解性、洗浄力、耐ケーキング性等）に優れた衣料用粉末洗剤組成物及び容器入り洗剤を提供することである。
【０００７】
【課題を解決するための手段】
本発明は、水不溶性無機物（ａ１）と、水溶性ポリマー及び水溶性塩類から選ばれる一種以上の水溶性成分（ａ２）とを含有するスラリーを噴霧乾燥して得られた水分（ＪＩＳ Ｋ ３３６２：１９９８記載の過熱減量法による）２質量％以下のベース顆粒に界面活性剤を担持させた洗剤ベース（ａ）〔以下、（ａ）成分という〕、水溶液中で過酸化水素を放出する化合物（ｂ）〔以下、（ｂ）成分という〕、並びに、水溶液中で過酸化水素と反応し有機過酸を発生する化合物（ｃ）〔以下、（ｃ）成分という〕を含有する粉末洗剤組成物に関する。
【０００８】
また、本発明は、透湿度（ＪＩＳ Ｚ ０２０８：１９７６による）１５〜５０ｇ／ｍ2・２４ｈｒの部材からなる収容部を有する容器に、上記本発明の粉末洗剤組成物を収容した容器入り粉末洗剤に関する。
【０００９】
また、本発明は、塩化カルシウムを収容して４０℃相対湿度７５％に１２０時間保存した時の質量増加率が３〜２０質量％である容器に、上記本発明の粉末洗剤組成物を収容した容器入り粉末洗剤に関する。
【００１０】
【発明の実施の形態】
＜（ａ）成分＞
（ａ）成分は、上記の通り、水分２質量％以下の特定のベース顆粒に界面活性剤を担持させた特定の洗剤ベースである。保存安定性の点で、ベース顆粒の水分は１．５質量％以下が好ましく、１質量％以下がより好ましく、０．５質量％以下が更に好ましく、０．１質量％以下が特に好ましい。
【００１１】
水不溶性無機物（ａ１）としては、１次粒子の平均粒径が０．１〜２０μｍのものが好ましく、例えば、結晶性もしくは非晶質のアルミノ珪酸塩や、二酸化珪素、水和珪酸化合物、パーライト、ベントナイト等の粘土化合物等があるが、結晶性もしくは非晶質のアルミノ珪酸塩や、二酸化珪素、水和珪酸化合物が好適であり、中でも金属イオン封鎖能及び界面活性剤の担持能の点で結晶性アルミノ珪酸塩が好ましい。
【００１２】
水溶性成分（ａ２）のうち、水溶性ポリマーとしては、カルボン酸系ポリマー、カルボキシメチルセルロース、可溶性澱粉、糖類等が挙げられるが、中でも金属イオン封鎖能、固体汚れ・粒子汚れの分散能及び再汚染防止能の点で、重量平均分子量が千〜１０万のカルボン酸系ポリマーが好ましい。特に、アクリル酸−マレイン酸コポリマーの塩とポリアクリル酸塩が好ましい。ここで、塩としてはナトリウム塩、カリウム塩、アンモニウム塩が挙げられる。
【００１３】
水溶性成分（ａ２）のうち、水溶性塩類としては、炭酸塩、炭酸水素塩、硫酸塩、硫酸水素塩、塩酸塩、又はリン酸塩等のアルカリ金属塩、アンモニウム塩、又はアミン塩等の水溶性無機塩類や、クエン酸塩やフマル酸塩等の低分子量の水溶性有機酸塩が挙げられる。該水溶性塩類を配合することは、該水溶性塩類と水との反応で生じた水和熱、溶解熱により、洗剤粒子から発生する気泡を熱膨張させ、それにより粒子の崩壊性を促進できる点でより好ましい。
【００１４】
ベース顆粒中の水不溶性無機物（ａ１）の比率は、２０〜９０質量％が好ましく、３０〜７５質量％がより好ましく、４０〜７０質量％が最も好ましい。また、ベース顆粒中の水溶性成分（ａ２）の比率は、１０〜８０質量％が好ましく、２５〜７０質量％がより好ましく、３０〜６０質量％が最も好ましい。特に（ａ２）として、水溶性ポリマー及び水溶性塩類を含有することが好ましく、中でもベース顆粒中の水溶性ポリマーの比率は２〜３０質量％が好ましく、３〜２０質量％がより好ましく、５〜２０質量％が最も好ましい。この時ベース顆粒中の水溶性塩類の比率は５〜７８質量％が好ましく、１０〜７０質量％がより好ましく、１０〜６７質量％が更に好ましく、２０〜６０質量％が特に好ましく、２０〜５５質量％が最も好ましい。これらの範囲内であれば、ベース顆粒はその表面近傍に水溶性成分（ａ２）が多く偏在した構造となり、溶解性の点で好ましい。なお、ベース顆粒の構造における水溶性成分（ａ２）の偏在性の確認は、例えば、フーリエ変換赤外分光法（ＦＴ−ＩＲ）や光音響分光法（ＰＡＳ）を併用する方法（ＦＴ−ＩＲ／ＰＡＳ）を用いて行うことができる。これは、ＡｐｐｌｉｅｄＳｐｅｃｔｒｏｓｃｏｐｙ  ｖｏｌ．４７、１３１１−１３１６（１９９３）に記載のとおり、ベース顆粒の表面から深さ方向における物質の分布状態を解析する方法であり、それにより偏在性を確認することができる。
【００１５】
また、ベース顆粒中にこれら３成分以外に、界面活性剤や、洗剤組成物に好適な蛍光染料、顔料、染料等の補助成分を含んでも構わない。
【００１６】
ベース顆粒は、各種成分を好ましくは水分量３０〜６０質量％のスラリーにした後、噴霧乾燥することで得られる。噴霧乾燥時の熱風の温度は、溶解性の点で２００〜３００℃が好ましい。
【００１７】
洗浄性能及び溶解性の点で、界面活性剤の担持量はベース顆粒１００質量部に対して５〜８０質量部が好ましく、１０〜７０質量部がより好ましく、１５〜６５質量部が更に好ましく、２０〜６０質量部が特に好ましい。
【００１８】
担持させる界面活性剤として、陰イオン性界面活性剤、非イオン性界面活性剤、両性界面活性剤、陽イオン性界面活性剤の１種または２種以上の組み合わせを挙げることが出来るが、好ましくは陰イオン性界面活性剤、非イオン性界面活性剤である。
【００１９】
陰イオン性界面活性剤としては、炭素数１０〜１８のアルコールの硫酸エステル塩、炭素数８〜２０のアルコールのアルコキシル化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩又は脂肪酸塩が好ましい。本発明では特に、アルキル鎖の炭素数が１０〜１４の、より好ましくは１２〜１４の直鎖アルキルベンゼンスルホン酸塩が好ましく、対イオンとしては、アルカリ金属塩やアミン類が好ましく、特にナトリウム及び／又はカリウム、モノエタノールアミン、ジエタノールアミンが好ましい。
【００２０】
非イオン性界面活性剤としては、ポリオキシアルキレンアルキル（炭素数８〜２０）エーテル、アルキルポリグリコシド、ポリオキシアルキレンアルキル（炭素数８〜２０）フェニルエーテル、ポリオキシアルキレンソルビタン脂肪酸（炭素数８〜２２）エステル、ポリオキシアルキレングリコール脂肪酸（炭素数８〜２２）エステル、ポリオキシエチレンポリオキシプロピレンブロックポリマーが好ましい。特に、非イオン性界面活性剤としては、炭素数１０〜１８のアルコールにエチレンオキシドやプロピレンオキシド等のアルキレンオキシドを平均で４〜２０モル付加したポリオキシアルキレンアルキルエーテルが好ましい。非イオン性界面活性剤は、ＨＬＢ値（グリフィン法で算出）が１０.５〜１５.０、更に１１.０〜１４.５のものが好ましい。
【００２１】
本発明に用いられるベース顆粒に担持させる界面活性剤の量は、洗浄力を発揮させる点から、陰イオン性界面活性剤の担持量は、ベース顆粒１００質量部に対して１〜６０質量部が好ましく、１〜５０質量部がより好ましく、３〜４０質量部が特に好ましい。非イオン性界面活性剤の担持量は、ベース顆粒１００質量部に対して１〜４５質量部が好ましく、１〜３５質量部がより好ましく、４〜２５質量部が好ましい。陰イオン性界面活性剤と非イオン性界面活性剤は単独で用いることもできるが、好ましくは、混合して用いるのが良い。また、両性界面活性剤や陽イオン性界面活性剤を目的に合わせ併用することも出来る。
【００２２】
ベース顆粒に界面活性剤を担持させる方法として、造粒機を用いても良いが、溶解性の点で撹拌機を用いて混合することが好ましい。混合により後述する気孔を潰さないように緩やかな条件で混合することが好ましい。
【００２３】
（ａ）成分は、水に溶解する過程において好ましくは粒子径の１／１０以上、より好ましくは１／５以上、更に好ましくは１／４以上、特に好ましくは１／３以上の径の気泡を放出する。気泡の放出は、水に静置した状態にて溶解させた場合、１２０秒以内に所定の大きさの気泡が発生することが好ましく、６０秒以内がより好ましく、４５秒以内が更に好ましい。また、気泡の放出には、所定の大きさの気泡を放出可能な気孔（単数個でも複数個でもよい）を有していればよく、特に粒子の形態、構造には限定されない。このような気泡を放出する（ａ）成分は、例えばスラリーを噴霧乾燥し、粒子をつぶさないよう取り扱うことにより得られる。
【００２４】
（ａ）成分は、流動性及び非ケーキング性の点で、ベース顆粒に界面活性剤を担持させた後に、表面被覆剤とを混合して、さらに表面改質を行うことが好ましい。表面被覆剤は（ａ）成分中１〜３０質量％が好ましく、２〜２５質量％がより好ましく、５〜２５質量％が更に好ましい。表面被覆剤としては、例えば、アルミノケイ酸塩、ケイ酸カルシウム、二酸化ケイ素、ベントナイト、タルク、クレイ、非晶質シリカ誘導体、結晶性ケイ酸塩等のシリケート化合物、金属石鹸、粉末の界面活性剤等の微粉体、カルボキシメチルセルロース、ポリエチレングリコール、ポリアクリル酸ソーダ、アクリル酸とマレイン酸のコポリマー又はその塩等のポリカルボン酸塩等の水溶性ポリマー、脂肪酸が挙げられる。中でも水不溶性無機物が好ましく、特に結晶性アルミノケイ酸塩、非晶質アルミノケイ酸塩、結晶性ケイ酸塩が好ましい。
【００２５】
（ａ）成分の４０℃における平衡相対湿度は、保存安定性の点で１５〜３５％が好ましく、１８〜３２％がより好ましく、２０〜３０％が更に好ましい。この平衡相対湿度は、次のように測定されたものである。２．４リットルの防湿容器に（ａ）成分６００ｇと高分子膜湿度センサ（好適にはティアンドディ社製、Thermo Recorder おんどとり ＲＨ ＴＲ−７２ＳとＴＲ−３１１０温湿度センサの組み合わせ）を入れ密閉する。これを４０℃に維持し、２４時間保存する。３０分ごとに湿度測定値を読み取り、変化がなくなった値を平衡相対湿度とする。（ａ）成分の水分は、保存安定性の点で、５質量％以下が好ましく、３質量％以下がより好ましく、２質量％以下が更に好ましい。
【００２６】
（ａ）成分は、利便性や廃棄物低減の点で、ＪＩＳ  Ｋ  ３３６２により規定された方法で測定する嵩密度は６００ｇ／Ｌ以上が好ましく、７００ｇ／Ｌ以上がより好ましく、８００ｇ／Ｌ以上が更に好ましい。また、溶解性の点で、嵩密度は１６００ｇ／Ｌ以下が好ましく、１３００ｇ／Ｌ以下がより好ましく、１０００ｇ／Ｌ以下が更に好ましい。
【００２７】
（ａ）成分は、溶解性の点で、ＪＩＳ  Ｚ  ８８０１の標準篩を用いて５分間振動させた後、篩目のサイズによる質量分率から求める平均粒径は１５０〜７００μｍが好ましく、より好ましくは１５０〜６００μｍ、更に好ましくは１８０〜５００μｍである。また、溶解性の点で粒径１７７〜３５０μｍの粒子の比率が（ａ）成分中４０質量％以上が好ましく、より好ましくは５０質量％以上である。
【００２８】
（ａ）成分の比率は、洗浄性能の点で粉末洗剤組成物中５０〜９９．５質量％が好ましく、６０〜９９質量％がより好ましく、７０〜９７質量％が更に好ましい。
【００２９】
＜（ｂ）成分＞
水溶液中で過酸化水素を放出する化合物としては、炭酸塩・過酸化水素付加物、硼酸塩・過酸化水素付加物、トリポリリン酸塩・過酸化水素付加物、ピロリン酸塩・過酸化水素付加物、尿素・過酸化水素付加物等が挙げられる。この中でも、炭酸塩・過酸化水素付加物、硼酸塩・過酸化水素付加物が好ましく、炭酸ナトリウム・過酸化水素付加物、硼酸ナトリウム・過酸化水素付加物がより好ましく、洗浄性能の点で炭酸ナトリウム・過酸化水素付加物が更に好ましい。
【００３０】
（ｂ）成分は、無機塩及び／又はポリマー等で被覆することによって保存安定性を向上することができる。中でも硼酸塩、ケイ酸塩、硫酸塩、炭酸塩で被覆することがより好ましい。被覆量は、（ｂ）成分が（ｂ）成分を含む粒子として用いられる場合、該粒子中５〜２０質量％が安定性、溶解性の点で好ましい。また、従来より知られている安定化剤、溶解促進剤、キレート剤等を前記粒子に含有させても良い。中でも塩化物、尿素、陰イオン界面活性剤、非イオン界面活性剤が溶解性の点で好ましく、それらの比率は、それぞれ、前記粒子中０．１〜５質量％が好ましい。
【００３１】
本発明の粉末洗剤組成物は、洗浄性能、洗浄効率の点で（ｂ）成分を０．１〜８質量％含有することが好ましく、０．５〜５質量％がより好ましく、１〜３．５質量％が更に好ましく、１．５〜２．８質量％が特に好ましい。
【００３２】
＜（ｃ）成分＞
水溶液中で過酸化水素と反応し有機過酸を発生する化合物としては、酸素系漂白剤含有洗剤に一般的に用いられる、グルコースペンタアセテート、トリアセチン、Ｎ，Ｎ，Ｎ’，Ｎ’−テトラアセチルエチレンジアミン、テトラアセチルグリコリルウリル等の漂白活性化剤を使用することができるが、効果の点で、一般式（１）〜（４）で表される化合物が特に好ましい。
【００３３】
【化１】
0004574093.tif 000002
【００３４】
〔式中、Ｒ1は炭素数４〜１３、好ましくは１０〜１３のアルキル基であり、Ｒ2は炭素数５〜１３、好ましくは７〜１１のアルキル基であり、Ｍは水素原子又はアルカリ金属、アルカリ土類金属、アンモニウム若しくはアルカノールアンモニウムを示す。〕
【００３５】
【化２】
0004574093.tif 000003
【００３６】
〔式中、Ｒ3、Ｒ4、Ｒ5、Ｒ6、Ｒ7、Ｒ9、Ｒ10は、それぞれ、メチル基、エチル基、ヒドロキシエチル基であり、Ｒ8は炭素数２〜１０のアルキレン基であり、Ｘ-は陰イオン（好ましくはハロゲンイオン、炭素数１〜３のアルキル硫酸イオン、炭素数１〜１２の脂肪酸イオン、リン酸イオン、硫酸イオン）を示す。〕。
【００３７】
本発明の粉末洗剤組成物は、（ｃ）成分を０．１〜５質量％含有することが好ましい。。洗浄性能、洗浄効率の点で０．５〜３質量％が好ましく、０．８〜２質量％がより好ましい。
【００３８】
（ｃ）成分は、溶解性、安定性の点で界面活性剤及びバインダーを含有する造粒物であることが好ましい。造粒性の点で、界面活性剤としては陰イオン界面活性剤がより好ましく、溶解性向上の点で炭素数１０〜１８のアルキル硫酸エステル塩、特にラウリル硫酸エステルナトリウム、ミリスチル硫酸エステルナトリウム、又はアルキル基の炭素数が１０〜１８のポリオキシエチレン〔エチレンオキサイド平均付加モル数（以下ＥＯｐと表記する）１〜１０、特に１〜５〕アルキルエーテル硫酸エステル塩、特にポリオキシエチレン（ＥＯｐ２〜５）ラウリルエーテル硫酸エステルナトリウム、ポリオキシエチレン（ＥＯｐ２〜５）ミリスチルエーテル硫酸エステルナトリウムの配合が更に好ましい。バインダーとして、平均分子量が２０００〜２００００のポリエチレングリコール及び炭素数８〜２０の脂肪酸がより好ましく、ポリエチレングリコールの重量平均分子量は、好ましくは４０００〜１００００、より好ましくは４０００〜８０００である。また、脂肪酸の炭素数は、好ましくは１０〜１８、より好ましくは１２〜１８である。また、脂肪酸はナトリウムもしくはカリウム石鹸の状態であってもよい。（ｃ）成分を含有する粒子中、界面活性剤は１〜４０質量％が好ましく、バインダーは、０．５〜３０質量％が好ましい。又、安定性を更に向上させる目的で、酸性物質を配合してもよい。酸性物質としては、コハク酸、マレイン酸、フマール酸、クエン酸、グリコール酸、ｐ−ヒドロキシ安息香酸から選ばれる一種以上の有機カルボン酸類が挙げられる。
【００３９】
＜その他の成分＞
その他の成分として、粉末洗剤組成物には、洗剤の分野で公知のビルダー、アルカリ剤、水溶性ポリマー、再汚染防止剤、柔軟化剤、蛍光増白剤、泡コントロール剤、酵素、酵素安定化剤、着色剤、香料等を含有させることができる。
【００４０】
無機ビルダーとしては、結晶性アルミノ珪酸塩、非晶質アルミノ珪酸塩、結晶性珪酸ナトリウム、トリポリリン酸ナトリウム、ピロリン酸ナトリウム等が挙げられ、環境への影響や洗浄性能の点で結晶性アルミノ珪酸塩がより好ましい。無機ビルダーの比率は、洗浄性能の点で、組成物中１０〜５０質量％が好ましく、１５〜４０質量％がより好ましい。
【００４１】
アルカリ剤としては、炭酸塩、珪酸塩、アミン類（アルキルアミン、アルカノールアミン等）等が挙げられ、炭酸塩、珪酸塩がより好ましい。アルカリ剤の比率は、洗浄性能の点で、組成物中５〜５０質量％が好ましく、１０〜４０質量％がより好ましい。
【００４２】
水溶性ポリマーとしては、カルボン酸系ポリマー、カルボキシメチルセルロース、可溶性澱粉、糖類等が挙げられる。中でも金属イオン封鎖能、固体汚れ・粒子汚れの分散能及び再汚染防止能の点で、重量平均分子量が１０００〜１０万のカルボン酸系ポリマーが好ましい。特に、アクリル酸−マレイン酸コポリマーの塩とポリアクリル酸塩が好ましい。ここで、塩としてはナトリウム塩、カリウム塩、アンモニウム塩が挙げられる。水溶性ポリマーの比率は、洗浄性能の点で、組成物中０．５〜２０質量％が好ましく、１〜１０質量％がより好ましい。
【００４３】
＜粉末洗剤組成物＞
本発明の粉末洗剤組成物は、利便性や廃棄物低減の点で、ＪＩＳ  Ｋ  ３３６２により規定された方法で測定する嵩密度は６００ｇ／Ｌ以上が好ましく、７００ｇ／Ｌ以上がより好ましく、８００ｇ／Ｌ以上が更に好ましい。また、溶解性の点で、嵩密度は１６００ｇ／Ｌ以下が好ましく、１３００ｇ／Ｌ以下がより好ましく、１０００ｇ／Ｌ以下が更に好ましい。
【００４４】
また、本発明の粉末洗剤組成物は、洗浄力、溶解性の点で、ＪＩＳ  Ｚ  ８８０１の標準篩を用いて５分間振動させた後、篩目のサイズによる質量分率から求める平均粒径は１５０〜７００μｍが好ましく、より好ましくは１５０〜６００μｍ、更に好ましくは１８０〜５００μｍである。
【００４５】
保存安定性の点で、本発明の粉末洗剤組成物の水分は５質量％以下が好ましく、０．１〜５質量％がより好ましく、０．５〜３質量％が更に好ましく、０．５〜２．５質量％が特に好ましい。
【００４６】
＜容器＞
本発明の容器入り粉末洗剤に用いる容器としては、保存安定性、経済性の点で、透湿度（ＪＩＳ Ｚ ０２０８：１９７６による）１５〜５０ｇ／ｍ2・２４ｈｒの部材からなる収容部を有する容器が好ましく、前記透湿度は２０〜５０ｇ／ｍ2・２４ｈｒがより好ましく、２０〜４０ｇ／ｍ2・２４ｈｒが更に好ましい。
なお、ここでいう部材は、最終製品の収容部の厚さ、形態に相当する部材を意味し、透湿度は、収容部において該部材が粉末洗剤組成物と接する面について測定したものである。
【００４７】
また、本発明の容器入り粉末洗剤に用いる容器としては、塩化カルシウムを収容して４０℃相対湿度７５％に１２０時間保存した時の質量増加率が３〜２０質量％である容器が、保存安定性、経済性の点で好ましく、前記質量増加率は５〜１５質量％がより好ましく、５〜１０質量％が更に好ましい。ここで、塩化カルシウムとしては、ＪＩＳ  Ｋ８１２４：１９９４（乾燥用試薬）を用いる。
【００４８】
粉末洗剤に用いる容器としては、射出成型等によるプラスチック容器や、プラスチックフィルムによるピロー包装、ガセット包装、パウチ包装、スタンディングパウチ包装等が知られている。一方、低価格の点や製造・成型の容易さ、印刷性等の点から、パルプを材料とする箱型容器も知られている。近年ではプラスチック資源の節約や、環境保全の観点から、プラスチック材料の使用量を低下させることが要望されており、資源の再利用、廃棄処理が容易といった点で、パルプを材料とする容器が好ましい。容器中のパルプ量は、３０質量％以上が好ましく、３０〜９９質量％がより好ましく、５０〜９８質量％が更に好ましく、６０〜９５質量％が特に好ましい。プラスチックシートを容器に内装、外装あるいは内在させることで、容器強度を向上できる。また、プラスチックシートの種類、厚み等を変えることで、透湿度や質量増加率を調整できる。
【００４９】
【実施例】
実施例１
（１）粉末洗剤組成物の製造
固形分５０質量％のスラリーを、熱風温度２５０℃で噴霧乾燥し以下のベース顆粒Ｉ及びIIを得た。次に、ベース顆粒Ｉ又はIIに界面活性剤混合液を担持させ、更に表面改質を行い以下の洗剤ベースＩ及びIIを得た。次に、洗剤ベースＩ又はIIと、下記の（ｂ）成分含有粒子、（ｃ）成分含有粒子、酵素含有粒子、及び香料を混合して粉末洗剤組成物を得た。
【００５０】
＜ベース顆粒Ｉ＞
組成は、ポリアクリル酸ナトリウム（重量平均分子量１００００）７質量％、炭酸ナトリウム２６質量％、硫酸ナトリウム２０質量％、塩化ナトリウム６質量％、蛍光染料０.５質量％、ゼオライト４０質量％、水０.５質量％である。蛍光染料としてはチノパールＣＢＳ−Ｘ（チバガイギー社製）を用いた。ゼオライトとしては４Ａ型ゼオライト（東ソー（株）製）を用いた。
【００５１】
＜ベース顆粒II＞
組成は、直鎖アルキル（炭素数１０〜１３）ベンゼンスルホン酸ナトリウム１質量％、ポリアクリル酸ナトリウム（重量平均分子量１００００）５質量％、炭酸ナトリウム２６質量％、硫酸ナトリウム１０質量％、塩化ナトリウム６質量％、蛍光染料０.５質量％、ゼオライト５０質量％、水０．５質量％である。なお、蛍光染料とゼオライトは、ベース顆粒Ｉと同じものを用いた。
【００５２】
＜洗剤ベースＩ＞
レディゲミキサー（松阪技研（株）製、容量２０Ｌ、ジャケット付き）に、ベース顆粒Ｉを１００質量部投入し、主軸（１５０ｒｐｍ）の攪拌下、非イオン界面活性剤２０質量部、直鎖アルキル（炭素数１０〜１３）ベンゼンスルホン酸塩ナトリウム２２質量部、脂肪酸（炭素数１４〜１８）ナトリウム４質量部、ポリエチレングリコール（重量平均分子量８５００）２質量部、水４質量部の混合液を、３分間で投入し、その後５分間攪拌を行った。更に、このミキサーに結晶性ケイ酸ナトリウム２０質量部とゼオライト１０質量部を投入し、表面被覆を行った。なお、非イオン界面活性剤は、アルキル基の炭素数１２〜１６、ＥＯｐ６．０のポリオキシエチレンアルキルエーテルを用いた。結晶性ケイ酸ナトリウムは粉末ＳＫＳ−６（ヘキストトクヤマ（株）製）を用いた。
【００５３】
得られた洗剤ベースＩは、嵩密度８１０ｇ／Ｌ、平均粒径２７０μｍ、粒径１７７〜３５０μｍの粒子の比率５５質量％であり、水に溶解する過程で粒子径の１／３以上の気泡を粒子内部より放出した。また、平衡相対湿度は２５％（４０℃）であった。
【００５４】
＜洗剤ベースII＞
レディゲミキサー（松阪技研（株）製、容量２０Ｌ、ジャケット付き）にベース顆粒IIを１００質量部投入し、主軸（１５０ｒｐｍ）の攪拌下、非イオン界面活性剤１０質量部、直鎖アルキル（炭素数１０〜１３）ベンゼンスルホン酸ナトリウム２６質量部、脂肪酸（炭素数１４〜１８）ナトリウム４質量部、ポリエチレングリコール（重量平均分子量８５００）２質量部、水３質量部の混合液を、３分間で投入し、その後５分間攪拌を行った。更に、このミキサーに結晶性ケイ酸ナトリウム２０質量部とゼオライト１０質量部を投入し、表面被覆を行った。
なお、非イオン界面活性剤と結晶性ケイ酸ナトリウムは洗剤ベースＩと同じものを用いた。
【００５５】
得られた洗剤ベースIIは、嵩密度８５０ｇ／Ｌ、平均粒径３２０μｍ、粒径１７７〜３５０μｍの粒子の比率５５質量％であり、水に溶解する過程で粒子径の１／３以上の気泡を粒子内部より放出した。また、平衡相対湿度は２５％（４０℃）であった。
【００５６】
＜（ｂ）成分含有粒子Ｉ＞
炭酸ナトリウム・過酸化水素付加物（特開２０００-２５６６９９号公報の段落００１９記載の漂白剤粒子）。
【００５７】
＜（ｂ）成分含有粒子II＞
硼酸ナトリウム・過酸化水素付加物（炭酸ナトリウム・過酸化水素付加物を硼酸ナトリウム・過酸化水素付加物に変えた以外は、特開２０００-２５６６９９号公報の段落００１９記載の漂白剤粒子と同様にして得た）。
【００５８】
＜（ｃ）成分含有粒子Ｉ＞
ラウロイルオキシベンゼンスルホン酸ナトリウムの造粒物（特開２０００-２５６６９９号公報の段落００１８記載の漂白活性剤粒子）。
【００５９】
＜（ｃ）成分含有粒子II＞
デカノイルオキシ安息香酸の造粒物（ラウロイルオキシベンゼンスルホン酸ナトリウムをデカノイルオキシ安息香酸に変えた以外は、特開２０００-２５６６９９号公報の段落００１８記載の漂白活性剤粒子と同様にして得た）。
【００６０】
＜酵素含有粒子＞
セルラーゼＫ（特開昭６３−２６４６９９号公報記載）、リポラーゼ１００Ｔ（ノボ社製）を３：１の質量比で混合したもの。
【００６１】
＜粉末洗剤組成物Ｉ＞
洗剤ベースＩを９５質量％、（ｂ）成分含有粒子Ｉを２.８質量％、（ｃ）成分含有粒子Ｉを１.２質量％、酵素含有粒子を０.５質量％、及び香料を０.５質量％混合して粉末洗剤組成物Ｉを得た。
【００６２】
＜粉末洗剤組成物II＞
洗剤ベースＩを９５質量％、（ｂ）成分含有粒子IIを２.５質量％、（ｃ）成分含有粒子IIを１.５質量％、酵素含有粒子を０.５質量％、及び香料を０.５質量％混合して粉末洗剤組成物IIを得た。
【００６３】
＜粉末洗剤組成物III（比較例）＞
洗剤ベース基準で、直鎖アルキル（炭素数１０〜１３）ベンゼンスルホン酸ナトリウム１０質量％、直鎖アルキル（炭素数１０〜１３）ベンゼンスルホン酸カリウム６質量％、α−スルホ脂肪酸（パーム油由来）エチルエステルナトリウム１０質量％、ポリオキシエチレンアルキルエーテル（アルキル基の炭素数１２、ＥＯｐ６）３質量％、ポリエチレングリコール（重量平均分子量８５００）１質量％、ゼオライト１０質量％、アクリル酸−マレイン酸コポリマー（重量平均分子量７００００、アクリル酸／マレイン酸＝３／７モル比）３質量％、脂肪酸ナトリウム（牛脂由来）４質量％、１号ケイ酸ナトリウム１質量％、炭酸ナトリウム１５質量％、硫酸ナトリウム５質量％、及び蛍光染料０.３質量％からなる、スラリー（固形分５０質量％）を調製し、噴霧乾燥して噴霧乾燥組成物を得た。
これに洗剤ベース基準の質量基準で、結晶性ケイ酸ナトリウム３質量％及び炭酸ナトリウム１３質量％をリボンミキサーに投入して混合を行った。得られた混合物を前押し出し式２軸型押し出し造粒機（ペレッターダブル：不二パウダル（株）製）で直径が１０ｍｍの円柱状に押し出し成形して圧密化した。得られたペレット状物を、ゼオライト５質量％とともにフラッシュミル（不二パウダル（株）製）で粉砕造粒して表面被覆を行った。この造粒物から粗大物を取り除いた後、Ｖブレンダーに移し、ゼオライト５質量％を混合し、水分５.７質量％の洗剤ベースIIIを得た。
【００６４】
洗剤ベースIIIを９５質量％、（ｂ）成分含有粒子Ｉを２.８質量％、（ｃ）成分含有粒子Ｉを１.２質量％、酵素含有粒子を０.５質量％、及び香料を０.５質量％混合して粉末洗剤組成物IIIを得た。この粉末洗剤組成物IIIの平衡相対湿度は４０％（４０℃）であった。なお、洗剤ベースIIIの製造に用いた成分で、洗剤ベースＩ、IIと重複するものは、洗剤ベースＩ、IIと同じものを用いた。
【００６５】
＜粉末洗剤組成物IV（比較例）＞
ベース顆粒Ｉの水分を３質量％にした以外は粉末洗剤組成物Ｉと同様にして粉末洗剤組成物IVを得た。
【００６６】
（２）容器入り粉末洗剤の製造
粉末洗剤組成物Ｉ〜IIIと以下の容器Ｉ〜IIIとを、表１の組み合わせで用いて容器入り粉末洗剤を得た。容器への組成物の充填量は、１．２ｋｇとした。
【００６７】
＜容器Ｉ＞
延伸ナイロン／線状低密度ポリエチレン製フィルム（内面がポリエチレン）からなるピロー包装容器。収容部を形成する前記フィルムの透湿度は５ｇ／ｍ2・２４ｈｒ、容器の質量増加率は３質量％未満である。
【００６８】
＜容器II＞
ポリエチレンをコートボール紙でサンドした３層材料からなるカートン容器。
収容部を形成する前記３層材料の透湿度は３５ｇ／ｍ2・２４ｈｒ、容器の質量増加率は７.５質量％である。
【００６９】
＜容器III＞
ポリエチレンをコートボール紙でサンドした３層材料からなるカートン容器。
収容部を形成する前記３層材料の透湿度は６０ｇ／ｍ2・２４ｈｒ、容器の質量増加率は２０質量％超である。
【００７０】
（３）評価
上記で調製した容器入り粉末洗剤を、以下の条件で保存した後、ＪＩＳ  Ｋ３３６２：１９９８「７.９過酸化塩の定量」に記載の方法により有効酸素（Ｏ）（％）を算出した。保存前を基準にして、保存後の有効酸素残存率を求めた。結果を表１、２に示す。
【００７１】
＜保存方法Ｉ＞
温度は３０℃を一定に保ちながら、湿度を４０％ＲＨで２４時間保ち、その後２４時間かけて湿度８０％ＲＨにし、その後湿度８０％ＲＨで２４時間保ち、その後２４時間かけて湿度４０％ＲＨにするという環境変化を繰り返し、３ヵ月間保存した。
【００７２】
＜保存方法II＞
温度４０℃、湿度６５％ＲＨ一定の部屋に２日間保存し、その後温度５℃、湿度７５％ＲＨ一定の部屋にサンプルを移動させて２日間保存し、その後４０℃、湿度６５％ＲＨ一定の部屋にサンプルを移動させるという環境変化を繰り返し、１ヵ月間保存した。
【００７３】
【表１】
0004574093.tif 000004
【００７４】
表１から、本発明の粉末洗剤組成物を用いた試験例１−１、１−２では有効酸素残存率が高いことがわかる。
【００７５】
【表２】
0004574093.tif 000005
【００７６】
表２から、本発明の粉末洗剤組成物を収容する場合に、保存条件に関わらず最も高い効果が得られるのは、容器IIであることがわかる。